(57)【要約】【課題】  乳歯や永久歯の歯並びの拡大モデルであり、知育玩具や保健指導の教材等の使用に供されるものである歯ならびモデル−乳歯モデル・永久歯モデル−を提供する。【解決手段】  軽くて持ち運び便利で安全で壊れにくい素材を利用して口腔内の上下合わせて２０本の乳歯や３２本の永久歯の歯列を拡大してモデルを作り、上あごや下あごの歯列の歯の位置に歯周組織となる凹部を設け、凹部内底に内蔵磁石などを取り付け、１本１本の歯を実際の歯に準じて作り、大きさや形、歯冠の咬頭の数や歯根の数などの特徴をそなえた歯の歯根底部に設けた内蔵磁石などとくっつけたり離したり自在に乳歯や永久歯を動かすことができ、歯の種類によって歯根部分や歯周組織などに異なる色を付けて色分けし、手又は道具を使って、歯を取り外したり、はめ込んだりする時に音が出たり、光ったりすることを特徴とする歯ならびモデル−乳歯モデル・永久歯モデル−。【選択図】図１１
2020204753.tif 000002
【特許請求の範囲】
【請求項１】
軽くて持ち運び、移動において便利で安全で壊れにくいソフトクレイやプラスチックなどの素材を利用して、下弦半円状の乳歯上あごと乳歯上あごより少し小さめの上弦半円状の乳歯下あご、下弦馬蹄状の永久歯上あごと上弦馬蹄状の永久歯下あご、及び口腔内の上下２０本ある乳歯や上下３２本ある永久歯の歯列を拡大してモデル、即ち乳歯上あごモデル、乳歯下あごモデル、永久歯上あごモデル、永久歯下あごモデルを作り、歯列の歯の位置にそれぞれの歯根が入る歯周組織となる凹部を設け、底部に歯周組織凹部底部内蔵磁石を取り付け、乳歯上あごモデルの下弦よりの中央に咽頭口と口蓋垂を設け、半円周に沿って円弧中央を境に左右対称に、底部に歯根底部内蔵磁石を取り付けた５種類の歯、乳中切歯、乳側切歯、乳犬歯、第１乳きゅう歯、第２乳きゅう歯を形成し、乳中切歯、乳側切歯、乳犬歯の歯根の数は１根、第１乳きゅう歯は３根で歯冠の突起である咬頭は３咬頭、第２乳きゅう歯は３根で４咬頭とし、乳歯下あごモデルの上弦中央に舌を設け、半円周に沿って円弧中央を境に左右対称に、底部に歯根底部内蔵磁石を取り付けた５種類の歯、乳中切歯、乳側切歯、乳犬歯、第１乳きゅう歯、第２乳きゅう歯を形成するが、上あごに生える乳歯と下あごに生える乳歯は、同じ名前の歯であっても大きさや形が異なり、乳中切歯、乳側切歯、乳犬歯の歯根は１根、第１乳きゅう歯の歯根は２根で４咬頭、第２乳きゅう歯は２根で５咬頭とし、永久歯上あごモデルの下弦寄りの中央に咽頭口と口蓋垂を設け、歯の本数や形などは人によって異なることがあるが、半円周に沿って、円弧中央を境に左右対称に、底部に歯根底部内蔵磁石を取り付けた８種類の歯、中切歯、側切歯、犬歯、第１小臼歯、第２小臼歯、第１大臼歯、第２大臼歯、第３大臼歯を形成し、中切歯、側切歯、犬歯の歯根は１根、第１小臼歯の歯根は２根で歯冠の突起である咬頭は２咬頭、第２小臼歯は１根で２咬頭、第１大臼歯は３根で４咬頭、第２大臼歯は３根で４咬頭、第３大臼歯は１根で４咬頭とし、永久歯下あごモデルの上弦中央に舌を設け、半円周に沿って、円弧中央を境に左右対称に、底部に歯根底部内蔵磁石を取り付けた８種類の歯、中切歯、側切歯、犬歯、第１小臼歯、第２小臼歯、第１大臼歯、第２大臼歯、第３大臼歯を形成し、中切歯、側切歯、犬歯の歯根は１根、第１小臼歯の歯根は１根で２咬頭、第２小臼歯は１根で２咬頭、第１大臼歯は２根で５咬頭、第２大臼歯は２根で５咬頭、第３大臼歯は２根で５咬頭とし、乳歯や永久歯の歯の種類によって歯根部分や歯周組織などにそれぞれ異なる色をつけて色分けし、乳歯、永久歯のすべての歯は、磁石を利用して取り外し、取り付けが自在であり、手で又は歯を抜いたり、はめ込んだりする道具を使って、歯を取り外したり、はめ込んだりした時に音が出たり、光ったりすることを特徴とする歯ならびモデル−乳歯モデル・永久歯モデル−。
【発明の詳細な説明】
【技術分野】
【０００１】  本発明は、乳歯や永久歯の歯並びの拡大モデルであり、知育玩具や保健指導の教材等の使用に供されるものである歯ならびモデル−乳歯モデル・永久歯モデル−に関するものである。
【背景技術】
【０００２】  従来、自由に自分の歯を取り外したりはめこんだりすることはできないので、乳歯や永久歯それぞれの歯の切歯は食べ物をかみ切る、犬歯は食べ物を引き裂く、小臼歯（永久歯のみ）は食べ物を砕く、大臼歯は食べ物をすりつぶすなどという歯の役割を果たすために歯冠の咬頭の数や上下のかみ合わせの仕組み、目に見えない歯根部分の構造などについて学ぶ機会が少なく、一生付き合う大切な歯についての知識が足りなかった。また歯磨きや歯のケアの際には手鏡などを利用して口腔内の歯の状態を見ていた。
【発明の開示】
【発明が解決しようとする課題】
【０００３】そのために、次のような問題点があった。
（ア）自分の歯は１本１本自由に取り外して見ることができないので、乳歯や永久歯の切歯は食べ物をかみ切り、犬歯は食べ物を引き裂く、小臼歯（永久歯のみ）は食べ物を砕く、大臼歯は食べ物をすりつぶすなどの役割を果たすためにそれぞれの歯がどういう構造をしているのか―歯冠の咬頭の数や上下のかみ合わせの仕組み、目に見えない歯根部分はどうなっているのかなど−がわからなかった。
（イ）手鏡などを利用しての歯磨きでは口の中の状態がよく見えず、歯の汚れやすいところや歯の磨きにくいところに虫歯などがおこった。
本発明は以上の問題点を解決しようとするものである。
【課題を解決するための手段】
【０００４】  軽くて持ち運び、移動において便利で安全で壊れにくいソフトクレイやプラスチックなどの素材を利用して、下弦半円状の乳歯上あごと乳歯上あごより少し小さめの上弦半円状の乳歯下あご、下弦馬蹄状の永久歯上あごと上弦馬蹄状の永久歯下あご、及び口腔内の上下２０本ある乳歯や上下３２本ある永久歯の歯列を拡大してモデル、即ち乳歯上あごモデル、乳歯下あごモデル、永久歯上あごモデル、永久歯下あごモデルを作る。歯列の歯の位置にそれぞれの歯根が入る歯周組織となる凹部を設け、凹部の内底に歯周組織凹部底部内蔵磁石を取り付ける。
乳歯上あごモデルの下弦よりの中央に咽頭口と口蓋垂を設け、半円周に沿って円弧中央を境に左右対称に、底部に歯根底部内蔵磁石を取り付けた５種類の歯、乳中切歯、乳側切歯、乳犬歯、第１乳きゅう歯、第２乳きゅう歯を形成する。乳中切歯、乳側切歯、乳犬歯の歯根の数は１根、第１乳きゅう歯は３根で歯冠の突起である咬頭は３咬頭、第２乳きゅう歯は３根で４咬頭とする。
乳歯下あごモデルの上弦中央に舌を設け、半円周に沿って円弧中央を境に左右対称に、底部に歯根底部内蔵磁石を取り付けた５種類の歯、乳中切歯、乳側切歯、乳犬歯、第１乳きゅう歯、第２乳きゅう歯を形成する。上あごに生える乳歯と下あごに生える乳歯は、同じ名前の歯であっても大きさや形が異なる。乳中切歯、乳側切歯、乳犬歯の歯根は１根、第１乳きゅう歯の歯根は２根で４咬頭、第２乳きゅう歯は２根で５咬頭とする。
永久歯上あごモデルの下弦寄りの中央に咽頭口と口蓋垂を設け、歯の本数や形などは人によって異なることがあるが、半円周に沿って、円弧中央を境に左右対称に、底部に歯根底部内蔵磁石を取り付けた８種類の歯、中切歯、側切歯、犬歯、第１小臼歯、第２小臼歯、第１大臼歯、第２大臼歯、第３大臼歯を形成する。
中切歯、側切歯、犬歯の歯根は１根、第１小臼歯の歯根は２根で歯冠の突起である咬頭は２咬頭、第２小臼歯は１根で２咬頭、第１大臼歯は３根で４咬頭、第２大臼歯は３根で４咬頭、第３大臼歯は１根で４咬頭とする。
永久歯下あごモデルの上弦中央に舌を設け、半円周に沿って、円弧中央を境に左右対称に、底部に歯根底部内蔵磁石を取り付けた８種類の歯、中切歯、側切歯、犬歯、第１小臼歯、第２小臼歯、第１大臼歯、第２大臼歯、第３大臼歯を形成する。
中切歯、側切歯、犬歯の歯根は１根、第１小臼歯の歯根は１根で２咬頭、第２小臼歯は１根で２咬頭、第１大臼歯は２根で５咬頭、第２大臼歯は２根で５咬頭、第３大臼歯は２根で５咬頭とする。
乳歯や永久歯の歯の種類によって歯根部分や歯周組織などにそれぞれ異なる色をつけて色分けする。
乳歯、永久歯のすべての歯は、磁石を利用して取り外し、取り付けが自在である。また、
手で又は歯を抜いたり、はめ込んだりする道具を使って歯を取り外したり、はめ込んだりした時に音が出たり、光ったりする。
以上を特徴とする歯ならびモデル−乳歯モデル・永久歯モデル−である。
【発明の効果】
【０００５】  本発明は、軽くて持ち運び、移動において便利で安全で壊れにくい実際の歯に準じた拡大モデルであり、上下２０本の乳歯や上下３２本の永久歯は磁石式で取り外し、取り付けが自在なので、切歯は食べ物をかみ切る、犬歯は食べ物を引き裂く、小臼歯（永久歯のみ）は食べ物を砕く、大臼歯は食べ物をすりつぶすなど、それぞれの歯の役割を果たすためにどのような構造をしているのか、歯冠の咬頭の数や上下のかみ合わせの仕組み、あるいは目に見えない歯根部分の構造などを、一目で分かり易く理解させることができる。また、食べ物の汚れが残りやすい箇所や、歯の磨きにくい箇所等を分かり易く見せ・触らせて、理解を実際感覚に直接刻むように教育することができ、歯磨きや歯のケアに自主的な心構えを形成できる。
【発明を実施するための形態】
【０００６】  軽くて持ち運び、移動において便利で安全で壊れにくいソフトクレイやプラスチックなどの素材を利用して、下弦半円状の乳歯上あごと乳歯上あごより少し小さめの上弦半円状の乳歯下あご、下弦馬蹄状の永久歯上あごと永久歯上あごより少し小さめの上弦馬蹄状の永久歯下あご、及び口腔内の上下２０本ある乳歯や上下３２本ある永久歯の歯列を拡大してモデル、即ち乳歯上あごモデル（１）、乳歯下あごモデル（９）、永久歯上あごモデル（２２）、永久歯下あごモデル（３１）を作る。歯列の歯の位置にそれぞれの歯根（１６）が入る歯周組織（１７）となる凹部を設け、内底に歯周組織凹部底部内蔵磁石（１９）を取り付ける。
乳歯上あごモデル（１）の下弦よりの中央に咽頭口（２）と口蓋垂（３）を設け、半円周に沿って、円弧中央を境に左右対称に、底部に歯根底部内蔵磁石（１８）を取り付けた５種類の歯、乳中切歯（４）、乳側切歯（５）、乳犬歯（６）、第１乳きゅう歯（７）、第２乳きゅう歯（８）を形成する。乳中切歯（４）、乳側切歯（５）、乳犬歯（６）の歯根の数は１根、第１乳きゅう歯（７）は３根で歯冠（２０）の突起である咬頭（２１）は３咬頭、第２乳きゅう歯（８）は３根で４咬頭とする。
乳歯下あごモデル（９）の上弦中央に舌（１０）を設け、半円周に沿って、円弧中央を境に左右対称に、底部に歯根底部内蔵磁石（１８）を取り付けた５種類の歯、乳中切歯（１１）、乳側切歯（１２）、乳犬歯（１３）、第１乳きゅう歯（１４）、第２乳きゅう歯（１５）を形成する。上あごに生える乳歯と下あごに生える乳歯は、同じ名前の歯であっても大きさや形が異なる。乳中切歯（１１）、乳側切歯（１２）、乳犬歯（１３）の歯根は１根、第１乳きゅう歯（１４）の歯根は２根で４咬頭、第２乳きゅう歯（１５）は２根で５咬頭とする。
永久歯上あごモデル（２２）の下弦寄りの中央に咽頭口（２）と口蓋垂（３）を設け、歯の本数や形などは人によって異なることがあるが、半円周に沿って、円弧中央を境に左右対称に、底部に歯根底部内蔵磁石（１８）を取り付けた８種類の歯、中切歯（２３）、側切歯（２４）、犬歯（２５）、第１小臼歯（２６）、第２小臼歯（２７）、第１大臼歯（２８）、第２大臼歯（２９）、第３大臼歯（３０）を形成する。
中切歯（２３）、側切歯（２４）、犬歯（２５）の歯根は１根、第１小臼歯（２６）の歯根は２根で歯冠（２０）の突起である咬頭（２１）は２咬頭、第２小臼歯（２７）は１根で２咬頭、第１大臼歯（２８）は３根で４咬頭、第２大臼歯（２９）は３根で４咬頭、第３大臼歯（３０）は１根で４咬頭とする。
永久歯下あごモデル（３１）の上弦中央に舌（１０）を設け、半円周に沿って、円弧中央を境に左右対称に、底部に歯根底部内蔵磁石（１８）を取り付けた８種類の歯、中切歯（３２）、側切歯（３３）、犬歯（３４）、第１小臼歯（３５）、第２小臼歯（３６）、第１大臼歯（３７）、第２大臼歯（３８）、第３大臼歯（３９）を形成する。
中切歯（３２）、側切歯（３３）、犬歯（３４）の歯根（１６）は１根、第１小臼歯（３５）の歯根は１根で２咬頭、第２小臼歯（３６）は１根で２咬頭、第１大臼歯（３７）は２根で５咬頭、第２大臼歯（３８）は２根で５咬頭、第３大臼歯（３９）は２根で５咬頭とする。
乳歯や永久歯の歯の種類によって歯根（１６）部分や歯周組織（１７）などにそれぞれ異なる色をつけて色分けする。
乳歯、永久歯のすべての歯は、磁石を利用して取り外し、取り付けが自在である。また、電子部品の埋め込み等によって、手又は歯を抜いたり、はめ込んだりする道具（４２）を使って、歯を取り外したり、はめ込んだりした時に音が出たり、光ったりする。
以上を特徴とする歯ならびモデル−乳歯モデル・永久歯モデル−である。
【実施例１】
【０００７】  本発明の一部である乳歯モデルを使用するときは、家庭や保育園・幼稚園などで拡大した乳歯上あごモデル（１）や乳歯下あごモデル（９）の歯周組織（１７）の底部に取り付けられた歯周組織凹部底部内蔵磁石（１９）に、実際の歯に準じた拡大モデルである上あごの５種類の歯（４〜８）や下あごの５種類の歯（１１〜１５）の歯根（１６）底部に設けられた歯根底部内蔵磁石（１８）を手又は歯を抜いたり、はめ込んだりする道具を使って、くっつけたり離したりして、自由に上下２０本ある乳歯を動かすことができるので、型はめ遊びや色合わせ遊びを通して身近に手に触れ遊べる知育玩具として歯に親しむことで、歯磨きや歯のケアに生かすことができる。また、歯の種類によって切歯は食べ物をかみ切る、犬歯は食べ物を引き裂く、きゅう歯は食べ物をすりつぶすなど役割りも違うが、役割りを果たすために歯の大きさや形、歯冠（２０）の突起である咬頭（２１）の数やかみ合わせの仕組み、また目には見えない歯根部分などがどうなっているのか観察することができる。
【実施例２】
【０００８】  本発明の一部である永久歯モデルを使用する時は、小・中学校では歯の検診時や虫歯予防デー等の学校の特別活動時や歯についての保健指導のツールとして、切歯は食べ物をかみ切る、犬歯は食べ物を引き裂く、小臼歯は食べ物を砕く、大臼歯は食べ物をすりつぶすなどという歯の役割りを果たすために歯冠の咬頭の数や上下の歯のかみ合わせの仕組み、目に見えない歯根部分の構造がどうなっているか、上下合わせて３２本の永久歯は実際の歯に準じた拡大モデルであり、磁石式になっているので、自由に手又は歯を抜いたり、はめこんだりする道具を使って、１本１本取り外して観察することができる。また、歯の形や大きさ、本数、歯根の数など人によって異なることがあるが乳歯の下に隠れている永久歯が大きくなって、乳歯の歯根をどんどん溶かし、歯根を失った乳歯が抜けて、永久歯に生え変わること、第１乳きゅう歯と第２乳きゅう歯が抜けて、その後に生える第１小臼歯・第２小臼歯や６歳ごろに生えだす第１大臼歯、１２歳ころに生える第２大臼歯、生える人と生えない人がいる親不知と言われる第３大臼歯などについても１本１本手に取って観察し、種類によって色分けもしてあるので観察後容易にはめ込むこともできる。さらに拡大モデルを使って食べ物の汚れが残りやすい箇所や磨きにくい箇所−歯が噛み合う面のくぼみや歯が隣り合う部分、歯の付け根などの指摘が容易になり、歯磨きや歯のケアに生かすことができる。
【実施例３】
【０００９】  乳歯モデル・永久歯モデルの全ての歯の歯根が何本あるか、歯を外した時に見えるように、歯根部分を底面に内蔵磁石を設けた透明プラスチック（４１）内に入れ込む。
【図面の簡単な説明】
【００１０】
【図１】本発明の一部である乳歯モデルの平面図
【図２】本発明の一部である乳歯上あごモデルの歯周組織から各々の歯を抜き取った状態を示す平面図
【図３】本発明の一部である乳歯上あごモデルにおける歯周組織に装着された各歯の様子を示す断面図
【図４】本発明の一部である乳歯下あごモデルの歯周組織から各々の歯を抜き取った状態を示す平面図
【図５】本発明の一部である乳歯下あごモデルにおける歯周組織に装着された各歯の様子を示す断面図
【図６】本発明の一部である永久歯モデルの平面図
【図７】本発明の一部である永久歯上あごモデルの歯周組織から各々の歯を抜き取った状態を示す平面図
【図８】本発明の一部である永久歯上あごモデルにおける歯周組織に装着された各歯の様子を示す断面図。
【図９】本発明の一部である永久歯下あごモデルの歯周組織から各々の歯を抜き取った状態を示す平面図
【図１０】本発明の一部である永久歯下あごモデルにおける歯周組織に装着された各歯の様子を示す断面図
【図１１】本発明の使用状態を示す一部断面図
【図１２】本発明の一部である永久歯上あごモデルの第１大臼歯の歯根部分を透明プラスチック内に入れ込んだ断面図
【図１３】歯を抜いたり、はめ込んだりする道具
【符号の説明】
【００１１】  １  乳歯上あごモデル
２  咽頭口
３  口蓋垂
４  乳歯上あごの乳中切歯
５  乳歯上あごの乳側切歯
６  乳歯上あごの乳犬歯
７  乳歯上あごの第１乳きゅう歯
８  乳歯上あごの第２乳きゅう歯
９  乳歯下あごモデル
１０  舌
１１  乳歯下あごの乳中切歯
１２  乳歯下あごの乳側切歯
１３  乳歯下あごの乳犬歯
１４  乳歯下あごの第１乳きゅう歯
１５  乳歯下あごの第２乳きゅう歯
１６  歯根
１７  歯周組織
１８  歯根底部内蔵磁石
１９  歯周組織凹部底部内蔵磁石
２０  歯冠
２１  咬頭
２２  永久歯上あごモデル
２３  永久歯上あごの中切歯
２４  永久歯上あごの側切歯
２５  永久歯上あごの犬歯
２６  永久歯上あごの第１小臼歯
２７  永久歯上あごの第２小臼歯
２８  永久歯上あごの第１大臼歯
２９  永久歯上あごの第２大臼歯
３０  永久歯上あごの第３大臼歯
３１  永久歯下あごモデル
３２  永久歯下あごの中切歯
３３  永久歯下あごの側切歯
３４  永久歯下あごの犬歯
３５  永久歯下あごの第１小臼歯
３６  永久歯下あごの第２小臼歯
３７  永久歯下あごの第１大臼歯
３８  永久歯下あごの第２大臼歯
３９  永久歯下あごの第３大臼歯
４０  指先
４１  底面に内蔵磁石を設けた透明プラスチック
４２  歯を抜いたり、はめ込んだりする道具
【図１】
2020204753.tif 000003
【図２】
2020204753.tif 000004
【図３】
2020204753.tif 000005
【図４】
2020204753.tif 000006
【図５】
2020204753.tif 000007
【図６】
2020204753.tif 000008
【図７】
2020204753.tif 000009
【図８】
2020204753.tif 000010
【図９】
2020204753.tif 000011
【図１０】
2020204753.tif 000012
【図１１】
2020204753.tif 000013
【図１２】
2020204753.tif 000014
【図１３】
2020204753.tif 000015